(57)【要約】      （修正有）【課題】分厚い食材を容易に飾り切りすることが出来るとともに、安全性が高い食材装飾具を提供する。【解決手段】基板２ａと、基板２ａから立設され食材の位置を規定する側壁２ｂと、基板２ａから立設され食材の表面に切れ込みを入れるための刃部２ｃからなる刃付き部材２であり、刃部２ｃの高さは側壁２ｂよりも低いことを特徴とする。【選択図】図１
0003160919.tif 000002
【実用新案登録請求の範囲】
【請求項１】
基板と、該基板から立設され食材の位置を規定する側壁と、前記基板から立設され食材の表面に切れ込みを入れるための刃部からなる刃付き部材であり、前記刃部の高さは前記側壁よりも低いことを特徴とする食材装飾具。
【請求項２】
基板が縦横比１：２以上の長型であり、側壁は少なくとも基板の両短辺側端縁に立設されているとともに、短辺側に設けられた側壁の形状は平面視半円弧状であることを特徴とする請求項１に記載の食材装飾具。
【請求項３】
刃部は、食材の表面に直線型、波線型、円型、三角形型、五角形型、六角形型、星型、トランプ模様型、花型、動物型の切れ込みを入れる形状であることを特徴とする請求項１又は２に記載の食材装飾具。
【請求項４】
請求項１乃至３のいずれかに記載の刃付き部材と蓋部材からなり、前記蓋部材は該刃付き部材の上面を覆う天板部と、前記天板部から垂下され前記刃付き部材の側壁に外側から遊嵌する外壁部とからなることを特徴とする記載の食材装飾具。
【請求項５】
蓋部材の外壁部に刃付き部材を把持するための切欠部が設けられていることを特徴とする請求項４に記載の食材装飾具。
【考案の詳細な説明】
【技術分野】
【０００１】
本考案は食材装飾具に関し、更に詳しくは、ウインナーソーセージ等の分厚い食材を簡単に飾り切りでき、しかも安全性が高い食材装飾具に関する。
【背景技術】
【０００２】
従来から、りんごをウサギの形に切ったり、キュウリやニンジンを花の形に切ったりする、いわゆる飾り切りの手法により、食事をする者の興味を引き付け、楽しい雰囲気を醸し出して食事を楽しくし、食欲を増進させる工夫がなされている。また、タコやカニの形に飾り切りしたウインナーソーセージは弁当の定番であり、子供たちの目を楽しませている。
【０００３】
このような飾り切りは、通常、食材の適当な箇所に包丁で切れ込みを入れることにより行われる。しかしながら、飾り切りを施す食材はせいぜい一口大程度の小さなものであるため、作業に熟練が必要で、しかも煩雑であり、さらには包丁を入れる位置や切れ込みの深さを誤って造形が狂い、興を削ぐ結果になることがある。また、飾り切りの手法は無数に開発されており、その全てに熟練するのは大変困難である。特に、年少者の場合は、誤って手を包丁等で切ってしまい、怪我をする危険がある。
【０００４】
素人でも簡単に飾り切りできる手段としては、シート状にスライスされた食材を所定の形状に押し抜く、いわゆる抜き型がある（例えば、特許文献１参照）。しかしながら、このような抜き型によれば、一旦、食材をシート状にスライスする必要があるため、面倒であり、また食べた時の歯ごたえを楽しむことができず、例えば、ウインナーソーセージのような、サクサク感を味わうような食材の場合は、食感が無味乾燥なものになってしまうことがある。また、このように型抜きされた食材の形状は平面的であるため、装飾の効果も限定的である。
【先行技術文献】
【特許文献】
【０００５】
【特許文献１】実用新案登録第３１４０９６５号公報
【考案の概要】
【考案が解決しようとする課題】
【０００６】
本考案の課題は、上記実情に鑑み、分厚い食材を簡単に且つ立体的に飾り切りすることができ、しかも安全性が高い食材装飾具を提供することにある。
【課題を解決するための手段】
【０００７】
上記目的を達成するための本考案の請求項１は、基板と、該基板から立設され食材の位置を規定する側壁と、前記基板から立設され食材の表面に切れ込みを入れるための刃部からなる刃付き部材であり、前記刃部の高さは前記側壁よりも低いことを特徴とする食材装飾具を内容とする。
【０００８】
本考案の請求項２は、基板が縦横比１：２以上の長型であり、側壁は少なくとも基板の両短辺側端縁に立設されているとともに、短辺側に設けられた側壁の形状は平面視半円弧状であることを特徴とする請求項１に記載の食材装飾具を内容とする。
【０００９】
本考案の請求項３は、刃部は、食材の表面に直線型、波線型、円型、三角形型、五角形型、六角形型、星型、トランプ模様型、花型、動物型の切れ込みを入れる形状であることを特徴とする請求項１又は２に記載の食材装飾具を内容とする。
【００１０】
本考案の請求項４は、請求項１乃至３のいずれかに記載の刃付き部材と蓋部材からなり、前記蓋部材は該刃付き部材の上面を覆う天板部と、前記天板部から垂下され前記刃付き部材の側壁に外側から遊嵌する外壁部とからなることを特徴とする記載の食材装飾具を内容とする。
【００１１】
本考案の請求項５は、蓋部材の外壁部に刃付き部材を把持するための切欠部が設けられていることを特徴とする請求項４に記載の食材装飾具を内容とする。
【考案の効果】
【００１２】
本考案の食材装飾具は、刃部が基板上に立設されているので、所定の位置に確実に切れ込みを入れることができる。また、刃部の高さが側壁よりも低いので、深く切りすぎて食材を切断してしまうような恐れがない。
【００１３】
基板を縦横比１：２以上の長型にし、短辺側の側壁の形状を平面視半円弧状にすれば、ウインナーソーセージのような端部が半球状に丸められた円柱状の食材の飾り切りに適した食材装飾具になる。
【００１４】
刃部の形状としては、直線型、波線型、円型、三角形型、五角形型、六角形型、星型、トランプ模様型、花型、動物型が好ましく、これらのうちのいくつかを組み合わせることも可能である。
【００１５】
天板部と外壁部からなる蓋部材を刃付き部材と共に用いれば、刃付き部材と蓋部材の間に食材を挟み込んで押圧することにより、刃部で手指を切ることなく安全に飾り切りをすることができる。
【００１６】
蓋部材の外壁部に刃付き部材を把持するための切欠部を設けると、刃付き部材が蓋部材から取り外しにくくなったとしても、片手で刃付き部材を持ち、他方の手で蓋部材を持って引っ張ることにより、これらを容易に引き剥がすことができる。
【図面の簡単な説明】
【００１７】
【図１】図１（ａ）は本考案の食材装飾具の平面図であり、（ｂ）はその側面図であり、（ｃ）は（ａ）のＡ−Ａ断面図である。
【図２】図２（ａ）は直線型の刃部を有する刃付き部材の平面図であり、（ｂ）はトランプ模様型の刃部を有する刃付き部材の平面図であり、（ｃ）は動物型（カメ型）の刃部を有する刃付き部材の平面図である。
【図３】図３（ａ）は、図１及び図２に示した刃付き部材とともに使用できる蓋部材の側面図であり、（ｂ）はその底面図であり、（ｃ）は（ｂ）のＢ−Ｂ断面図である。
【図４】図４は図１に記載の刃付き部材に、図３に記載の蓋部材を被せる場合を示す説明図である。
【図５】図５は本考案の食材装飾具でウインナーソーセージを飾り切りする方法を示す説明図であり、（ａ）は刃付き部材でウインナーソーセージをまな板等に押し付ける場合を示し、（ｂ）は刃付き部材と蓋部材の間でウインナーソーセージを押圧する場合を示す。
【図６】図６は本考案の食材装飾具を用いて飾り切りされたウインナーソーセージ及び使用した刃付き部材を示す図であり、（ａ）は図１に示したウサギ型の刃付き部材を用いた例であり、（ｂ）は図２（ｃ）に示したカメ型の刃付き部材を用いた例である。
【考案を実施するための形態】
【００１８】
本考案の食材装飾具１は、例えば図１に示すように、基板２ａと、該基板２ａから立設され食材Ｆの位置を規定する側壁２ｂと、前記基板２ａから立設され食材Ｆの表面に切れ込みを入れるための刃部２ｃからなる刃付き部材２であり、前記刃部２ｃの高さは前記側壁２ｂよりも低いことを特徴とする。
この食材装飾具１は、図５（ａ）に示したように、基板２ａを上にして刃部２ｃを食材Ｆに突き当て、そのまま側壁２ｂがまな板等Ｂに突き当たるまで基板２ａを押圧して刃付き部材２を押し下げるか、或いは図５（ｂ）に示したように、刃付き部材２に食材Ｆを載置してその上から蓋部材３を被せ、蓋部材３の裏面が側壁に突き当たるまで蓋部材３を上から押圧することにより、飾り切りすることができる。
【００１９】
本考案の食材装飾具１としての刃付き部材２は、図１に示すように、基板２ａ上に側壁２ｂ及び刃部２ｃを立設してなる。
本考案において、基板２ａの形状は特に限定されず、飾り切りする食材Ｆの寸法及び形状、一度に処理する食材の数等に合わせて適宜決定すればよく、例えば、ウインナーソーセージのような長細い食材Ｆを一個づつ処理するための食材装飾具１を得るには、基板２ａもそれに合わせて細長い形状とすればよく、具体的には縦横比１：２以上の長型とすることが好ましい。但し、ここでいう縦横とは単に長さ方向を横と称しているに過ぎず、使用する際の模様の向き等とは無関係で、例えば図１に示したような縦長の模様をつけることも可能である。
【００２０】
本考案における側壁２ｂは飾り切りしようとする食材が、処理中に不意に転がったりしないようにするため、食材Ｆの位置を規定するための部分である。また、後述の通り、刃部２ｃが食材Ｆ中に差し込まれる際に、切れ込みの深さを調節する機能を有する。
側壁２ｂの位置及び大きさは、飾り切り処理中における食材Ｆの移動を防ぐことができる限り特に限定されないが、例えばウインナーソーセージのような、端部が半球状に丸められた円柱状の食材Ｆを一個づつ飾り切り処理するための食材装飾具１の場合は、短辺側（横側）に平面視半円弧状の側壁を設ければよい。
【００２１】
本考案における刃部２ｃは食材Ｆの表面に切れ込みを入れるための部分である。この刃部２ｃの高さは前記側壁２ｂよりも低くされる。このため、刃部２ｃを食材Ｆ内に刺し入れる際に、切れ込みが適当な深さになったときに側壁２ｂがまな板等Ｂや蓋部材３の裏面に突き当たり、それ以上深く刃部２ｃが進入することができないので、食材Ｆが誤って切断されるのが防止できる。
この刃部２ｃの形状は特に限定されず、飾り切りの態様に応じて適宜定めることができるが、例えば図２（ａ）に示したような、直線型、波線型、円型、三角形型、五角形型、六角形型、星型といった幾何学模様型や、図２（ｂ）に示したようなトランプ模様型、ウサギ型（図１（ａ））やカメ型（図２（ｃ））といった動物型が例示できる。このようにすれば、食べる人の興味や関心をより強く引きつけ、楽しい気分にすることができる。
【００２２】
刃部２ｃの側面視の形状についても特に限定されず、高低差のない形状であっても使用できるが、刃先が斜めになるように高低差をつけたほうが食材Ｆを切りやすいので好ましい。
なお、刃部２ｃの厚さは肉厚の食材Ｆを切断できる程度である必要があり、材質にもよるが、合成樹脂製の場合には０．５〜１．５ｍｍ程度が好ましく、先端は尖端化される。
【００２３】
本考案においては、図３に示したような蓋部材３を上記の刃付き部材２とともに用いて、安全性及び利便性を高めることができる。即ち、このような蓋部材３を用いることにより、食材Ｆを蓋部材３と刃付き部材２の間に挟んで押圧すればよいので、指などを切る危険もない。さらに、まな板等Ｂなどが不要なので作業場所を選ばず簡単に飾り切りをすることができる。また、蓋部材３を刃付き部材２に被せることにより刃部２ｃを蓋部材３内に収容できるので、ホコリ等で汚れることがなく、また、収納時に刃部２ｃが他の道具等と接触することがなく、従って、刃こぼれの危険がない。
【００２４】
本考案において蓋部材３とは、天板部３ａと外壁部からなる部材であり、図４に記載されているように、刃付き部材２の上に被せるようにして使用する。
天板部３ａは前記刃付き部材２の上面を覆う部材であり、最も単純には板状の部材でよいが、食材Ｆを刃付き部材２に押し付けても壊れない程度の強度を保てる範囲で装飾用の透孔や凹凸、リブ等を設けてもよい。更に、刃付き部材からは、どのような装飾が付与されるのか分かりにくいので、例えば、蓋部材３の天板部３ａの表面に、付与される装飾（ウサギ、カメ等）の絵を刻設したり、印刷したり、貼付することができる。
外壁部３ｂは該天板部３ａから垂下され、前記刃付き部材２の側壁２ｂに外側から遊嵌する部材である。外壁部３ｂは天板部３ａの周縁全体から垂下してもよいが、側壁２ｂが設けられた範囲だけに外壁部３ｂを設けることもできる。また、外壁部３ｂを天板部３ａの周縁全体に設けた場合、この外壁部３ｂに切欠部３ｃを設け、この切欠部３ｃから刃付き部材２とともに把持できるようにするほうが好ましい。このようにすれば、刃付き部材が蓋部材から取り外しにくくなったとしても、片手で刃付き部材を持ち、他方の手で蓋部材を持って引っ張ることにより、これらを引き剥がすことができる。
【００２５】
本考案の食材装飾具１は、樹脂製、金属製等のいずれでもよいが、成形性が良く、軽量且つ安価な点で樹脂製が好ましい。このような樹脂としては特に制限されず、例えば、ポリエチレン、ポリプロピレン等のポリオレフィン樹脂、ポリスチロール樹脂、ＡＢＳ樹脂、ＡＡＳ樹脂、ＡＥＳ樹脂、塩化ビニル樹脂、ポリアミド樹脂、ポリエステル樹脂、ポリカーボネート樹脂等が挙げられる。
【００２６】
本考案の食材装飾具１により飾り切りできる食材としては特に制限はないが、キュウリ、ナス、ニンジン等の野菜、果物、ハム、ウインナーソーセージ、チーズ、卵焼き等が挙げられる。また、固くて押し切るのが困難な食材は、例えば、加温又は加熱する、ゆでる等により柔らかくして飾り切りされる。
飾り切りされた食材は、必要に応じ、フライパン等で加熱又は炒める。これにより、例えば、ウインナーソーセージ等は膨張又は収縮して切れ目が広がり、装飾が一層鮮明となる。
【産業上の利用可能性】
【００２７】
叙上のとおり、本考案の食材装飾具は、基板と、該基板から立設され食材の位置を規定する側壁と、前記基板から立設され食材の表面に切り込みを入れるための刃部からなる刃付き部材であり、前記刃部の高さは前記側壁よりも低いので、食材に刃付き部材を押し付けて食材を押し切るだけで安全且つ簡単に飾り切りして、装飾性が高い食材を提供することができ、年少者でも安全且つ簡単に使用することができる。
【符号の説明】
【００２８】
１  食材装飾具
２  刃付き部材
２ａ  基板
２ｂ  側壁
２ｃ  刃部
３  蓋部材
３ａ  天板部
３ｂ  外壁部
３ｃ  切欠部
Ｆ  食材
Ｂ  まな板等
【図１】
0003160919.tif 000003
【図２】
0003160919.tif 000004
【図３】
0003160919.tif 000005
【図４】
0003160919.tif 000006
【図５】
0003160919.tif 000007
【図６】
0003160919.tif 000008
【手続補正書】
【提出日】平成22年5月10日(2010.5.10)
【手続補正１】
【補正対象書類名】明細書
【補正対象項目名】００１０
【補正方法】変更
【補正の内容】
【００１０】
本考案の請求項４は、さらに蓋部材を備え、前記蓋部材は該刃付き部材の上面を覆う天板部と、前記天板部から垂下され前記刃付き部材の側壁に外側から遊嵌する外壁部とからなることを特徴とする請求項１乃至３のいずれかに記載の食材装飾具を内容とする。
【手続補正２】
【補正対象書類名】実用新案登録請求の範囲
【補正対象項目名】請求項４
【補正方法】変更
【補正の内容】
【請求項４】
さらに蓋部材を備え、前記蓋部材は該刃付き部材の上面を覆う天板部と、前記天板部から垂下され前記刃付き部材の側壁に外側から遊嵌する外壁部とからなることを特徴とする請求項１乃至３のいずれかに記載の食材装飾具。